(57)【要約】  本発明は、縮小されたＤＭＲＳ構成、ならびにＤＭＲＳ構成を適応的に選択するための方法および装置を提供している。本方法は、ターゲットＵＥに関するチャネル変化を推定するステップと、その推定されたチャネル変化に基づいて、ターゲットＵＥについての通常のＤＭＲＳ構成、または縮小されたＤＭＲＳ構成のうちの一方を選択するステップとを含み、そこでは、通常のＤＭＲＳ構成においては、ＤＭＲＳシンボルが、各タイムスロットに割り当てられるが、縮小されたＤＭＲＳ構成においては、ＤＭＲＳシンボルが、各サブフレームに割り当てられる。
2016521033.tif 000002
【特許請求の範囲】
【請求項１】
復調基準信号（ＤＭＲＳ）構成を適応的に選択するための方法であって、
ターゲット・ユーザ機器（ＵＥ）に関するチャネル変化を推定するステップと、
前記推定されたチャネル変化に基づいて、前記ターゲットＵＥについての通常のＤＭＲＳ構成、または縮小されたＤＭＲＳ構成のうちの一方を選択するステップと
を含み、前記通常のＤＭＲＳ構成においては、ＤＭＲＳシンボルが、各タイムスロットに割り当てられるが、前記縮小されたＤＭＲＳ構成においては、ＤＭＲＳシンボルが、各サブフレームに割り当てられる、方法。
【請求項２】
前記縮小されたＤＭＲＳ構成においては、前記割り当てられたＤＭＲＳシンボルは、前記サブフレームの中央に位置している、請求項１に記載の方法。
【請求項３】
前記割り当てられたＤＭＲＳシンボルは、前記サブフレームの第１のタイムスロットの最後のシンボルに位置している、請求項２に記載の方法。
【請求項４】
前記割り当てられたＤＭＲＳシンボルは、前記サブフレームの第２のタイムスロットの第１のシンボルに位置している、請求項２に記載の方法。
【請求項５】
前記チャネル変化を推定するステップは、前記通常のＤＭＲＳ構成において、前記サブフレームの第１のタイムスロットと、第２のタイムスロットとの間のチャネル変化を推定するステップを含む、請求項１に記載の方法。
【請求項６】
前記チャネル変化を推定するステップは、前記縮小されたＤＭＲＳ構成において、２つの連続したサブフレームのうちの第１のサブフレームと、第２のサブフレームとの間のチャネル変化を推定するステップを含む、請求項１に記載の方法。
【請求項７】
チャネル変化を推定するステップは、チャネル行列推定、ドップラー推定、またはＵＥ速度推定のうちの１つを使用してチャネル変化を推定するステップを含む、請求項１に記載の方法。
【請求項８】
前記推定されたチャネル変化に基づいて、前記ターゲットＵＥについての通常のＤＭＲＳ構成、または縮小されたＤＭＲＳ構成のうちの一方を選択するステップは、
前記通常のＤＭＲＳ構成を現在使用している場合には、前記推定されたチャネル変化が、第１の所定のしきい値よりも低い場合に、後続のアップリンク送信のために前記縮小されたＤＭＲＳ構成を選択するステップ
を含む、請求項１に記載の方法。
【請求項９】
前記推定されたチャネル変化に基づいて、前記ターゲットＵＥについての通常のＤＭＲＳ構成、または縮小されたＤＭＲＳ構成のうちの一方を選択するステップは、
前記縮小されたＤＭＲＳ構成を現在使用している場合には、前記推定されたチャネル変化が、第２の所定のしきい値よりも高い場合に、後続のアップリンク送信のために前記通常のＤＭＲＳ構成を選択するステップ
を含む、請求項１に記載の方法。
【請求項１０】
後続のアップリンク送信のために使用されるようにするために、より高いレベルのシグナリングを通して前記ターゲットＵＥに対して前記選択されたＤＭＲＳ構成を示すステップ
をさらに含む、請求項１に記載の方法。
【請求項１１】
復調基準信号（ＤＭＲＳ）構成を適応的に選択するための装置であって、
ターゲット・ユーザ機器（ＵＥ）に関するチャネル変化を推定するように構成されたチャネル変化推定ユニットと、
前記推定されたチャネル変化に基づいて、前記ターゲットＵＥについての通常のＤＭＲＳ構成、または縮小されたＤＭＲＳ構成のうちの一方を選択するように構成されたＤＭＲＳ構成選択ユニットと
を備えており、前記通常のＤＭＲＳ構成においては、ＤＭＲＳシンボルが、各タイムスロットに割り当てられるが、前記縮小されたＤＭＲＳ構成においては、ＤＭＲＳシンボルが、各サブフレームに割り当てられる、装置。
【請求項１２】
前記縮小されたＤＭＲＳ構成においては、前記割り当てられたＤＭＲＳシンボルは、前記サブフレームの中央に位置している、請求項１１に記載の装置。
【請求項１３】
前記割り当てられたＤＭＲＳシンボルは、前記サブフレームの第１のタイムスロットの最後のシンボルに位置している、請求項１２に記載の装置。
【請求項１４】
前記割り当てられたＤＭＲＳシンボルは、前記サブフレームの第２のタイムスロットの第１のシンボルに位置している、請求項１２に記載の装置。
【請求項１５】
前記チャネル変化推定ユニットは、前記通常のＤＭＲＳ構成において、前記サブフレームの第１のタイムスロットと、第２のタイムスロットとの間のチャネル変化を推定するように構成されている、請求項１１に記載の装置。
【請求項１６】
前記チャネル変化推定ユニットは、前記縮小されたＤＭＲＳ構成において、２つの連続したサブフレームのうちの第１のサブフレームと、第２のサブフレームとの間のチャネル変化を推定するように構成されている、請求項１１に記載の装置。
【請求項１７】
前記チャネル変化推定ユニットは、チャネル行列推定、ドップラー推定、またはＵＥ速度推定のうちの１つを使用してチャネル変化を推定するように構成されている、請求項１１に記載の装置。
【請求項１８】
前記ＤＭＲＳ構成選択ユニットは、前記通常のＤＭＲＳ構成を現在使用している場合には、前記推定されたチャネル変化が、第１の所定のしきい値よりも低い場合に、後続のアップリンク送信のために前記縮小されたＤＭＲＳ構成を選択するように構成されている、請求項１１に記載の装置。
【請求項１９】
前記ＤＭＲＳ構成選択ユニットは、前記縮小されたＤＭＲＳ構成を現在使用している場合には、前記推定されたチャネル変化が、第２の所定のしきい値よりも高い場合に、後続のアップリンク送信のために前記通常のＤＭＲＳ構成を選択するように構成されている、請求項１１に記載の装置。
【請求項２０】
後続のアップリンク送信のために使用されるようにするために、より高いレベルのシグナリングを通して前記ターゲットＵＥに対して前記選択されたＤＭＲＳ構成を示すように構成されたＤＭＲＳ構成通知ユニットをさらに備えている、請求項１１に記載の装置。
【発明の詳細な説明】
【技術分野】
【０００１】
本発明は、一般に、ワイヤレス通信の分野に関し、より詳細には、縮小されたＤＭＲＳ（復調基準信号（Ｄｅｍｏｄｕｌａｔｉｏｎ  Ｒｅｆｅｒｅｎｃｅ  Ｓｉｇｎａｌ））構成、ならびにＤＭＲＳ構成を適応的に選択するための方法および装置に関する。
【背景技術】
【０００２】
第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）ロング・ターム・エボリューション（ＬＴＥ：Ｌｏｎｇ−Ｔｅｒｍ  Ｅｖｏｌｕｔｉｏｎ）システムにおいては、基地局の中央集中されたスケジューリング方法は、ユーザ機器（ＵＥ：ｕｓｅｒ  ｅｑｕｉｐｍｅｎｔｓ）の物理アップリンク共用チャネル（ＰＵＳＣＨ：ｐｈｙｓｉｃａｌ  ｕｐｌｉｎｋ  ｓｈａｒｅｄ  ｃｈａｎｅｌ）送信を制御するために採用される。基地局は、物理ダウンリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）の上でＵＥに対して、ＰＵＳＣＨと、物理アップリンク制御チャネル（ＰＵＣＣＨ：Ｐｙｓｉｃａｌ  Ｕｐｌｉｎｋ  Ｃｏｎｔｒｏｌ  Ｃｈａｎｎｅｌ）とについてのアップリンク・スケジューリング情報を送信し、そこではアップリンク・スケジューリング情報は、ＤＭＲＳに関連した情報を含んでいる。
【０００３】
ＬＴＥシステムにおいて規定される周波数分割二重化（ＦＤＤ：ｆｒｅｑｕｅｎｃｙ−ｄｉｖｉｓｉｏｎ  ｄｕｐｌｅｘｉｎｇ）フレーム構造においては、ワイヤレス・フレームは、１０個のサブフレームを含んでおり、各サブフレームは、２つのタイムスロットを含んでおり、また各タイムスロットは、（拡張サイクリック・プレフィックス（ＣＰ：ｃｙｃｌｉｃ  ｐｒｅｆｉｘ）の場合における）６つのシンボル、または（通常のサイクリック・プレフィックス（ＣＰ）の場合における）７つのシンボルを含んでいる。
【０００４】
通常のＤＭＲＳ構成においては、ＤＭＲＳは、各タイムスロットにおいて１つのシンボルを占有し、それゆえに、ＤＭＲＳシンボルの送信は、アップリンク帯域幅のうちの、（通常のＣＰの場合に）１４％を、または（拡張ＣＰの場合に）１８％を消費することになる。
【０００５】
さらに、スモール・セルでは、スモール・セルの機能強化は、システム性能を強化するための有望な技術として３ＧＰＰによって見なされており、またＲｅｌ−１２における検討項目として推奨されてきている。３ＧＰＰ  ＴＲ  ３６．９３２において述べられるように、低モビリティＵＥが、屋内環境のために考慮されるにすぎないが、屋外環境のためには、中間のモビリティＵＥが、さらに考慮される。低モビリティＵＥでは、コヒーレンス時間が比較的長いので、ＤＭＲＳが、各タイムスロットにおいてシンボルを占有することが、不必要になる。
【先行技術文献】
【非特許文献】
【０００６】
【非特許文献１】３ＧＰＰ  Ｒｅｌ−１２
【非特許文献２】３ＧＰＰ  ＴＲ  ３６．９３２
【非特許文献３】３ＧＰＰ  ＴＳ  ３６．１０１  表Ｂ．２．１−２（ＥＰＡモデル）
【非特許文献４】３ＧＰＰ  ＴＳ  ３６．１０１  Ｂ．２．３．２
【発明の概要】
【発明が解決しようとする課題】
【０００７】
上記問題を考慮して、本発明は、周波数スペクトル効率を強化するために、縮小されたＤＭＲＳ構成と、ＤＭＲＳ構成を適応的に選択するための問題解決手法とを提供している。
【課題を解決するための手段】
【０００８】
本発明の一態様によれば、ＤＭＲＳ構成を適応的に選択するための方法であって、ターゲットＵＥに関するチャネル変化を推定するステップと、その推定されたチャネル変化に基づいて、ターゲットＵＥについての通常のＤＭＲＳ構成、または縮小されたＤＭＲＳ構成のうちの一方を選択するステップとを含む方法が、提供されており、そこでは、通常のＤＭＲＳ構成においては、ＤＭＲＳシンボルが、各タイムスロットに割り当てられ、また縮小されたＤＭＲＳ構成においては、ＤＭＲＳシンボルが、各サブフレームに割り当てられる。
【０００９】
本発明の別の態様によれば、ＤＭＲＳ構成を適応的に選択するための装置であって、ターゲットＵＥに関するチャネル変化を推定するように構成されたチャネル変化推定ユニットと、その推定されたチャネル変化に基づいて、ターゲットＵＥについての通常のＤＭＲＳ構成、または縮小されたＤＭＲＳ構成のうちの一方を選択するように構成されたＤＭＲＳ構成選択ユニットとを備えている装置が、提供されており、そこでは、通常のＤＭＲＳ構成においては、ＤＭＲＳシンボルが、各タイムスロットに割り当てられ、また縮小されたＤＭＲＳ構成においては、ＤＭＲＳシンボルが、各サブフレームに割り当てられる。
【００１０】
本発明の問題解決手法のおかげで、スペクトル効率は、ターゲットＵＥのチャネル変化状態に基づいてＤＭＲＳ構成を適応的に選択することにより改善され、これは、システム・スループットを高める。
【００１１】
添付図面を参照して、好ましい実施形態についての以下の描写を通して、本発明は、より良く理解されることになり、また本発明の他の目的、詳細、特徴、および利点は、より明らかになるであろう。
【図面の簡単な説明】
【００１２】
【図１】通常のＤＭＲＳ構成についての概略図である。
【図２】本発明の実施形態による縮小されたＤＭＲＳ構成についての概略図である。
【図３】本発明の実施形態による、ＤＭＲＳ構成を適応的に選択するための方法についてのフロー・チャートである。
【図４】本発明の実施形態による、ＤＭＲＳ構成を適応的に選択するための方法についての詳細なフロー・チャート図である。
【図５】本発明の実施形態による、ＤＭＲＳ構成を適応的に選択するための装置の概略図である。
【図６】本発明の実施形態に従って実行されるシミュレーションにおいて使用されるネットワーク・トポロジを示す図である。
【図７】異なるＵＥの速度の下でのシミュレーション結果を示す図である。
【図８】異なるＵＥの速度の下でのシミュレーション結果を示す図である。
【発明を実施するための形態】
【００１３】
添付図面のすべてにおいては、同様な参照番号は、同じ、同様な、または対応する特徴もしくは機能を示している。
【００１４】
いくつかの好ましい実施形態は、添付図面を参照してより詳細に説明されることになり、これらの添付図面においては、本開示についての好ましい実施形態が、示されている。しかしながら、本開示は、本明細書において開示される実施形態に限定されることのない様々なやり方で、実装され得ることを理解すべきである。それどころか、これらの実施形態は、本開示の十分なまた完全な理解のために、また当業者に対して本開示の範囲を完全に伝えるために、提供される。
【００１５】
アップリンクＤＭＲＳは、チャネル推定行列を解決するために、ＰＵＳＣＨと、ＰＵＣＣＨとについてのコヒーレンス復調のためのチャネル推定のために使用され、またＰＵＳＣＨと、ＰＵＣＣＨとについてのデータ復号化のために使用される。アップリンク送信のための低いキュービック・メトリック（ｃｕｂｉｃ  ｍｅｔｒｉｃ）と、対応する高い電力増幅器効率との重要性に起因して、基準信号は、同じ端末からの他のアップリンク送信と並行して送信されるべきではない。それゆえに、現在では、サブフレームの中の２つのＯＦＤＭシンボルが、図１に示されるように、ＰＵＳＣＨのためのＤＭＲＳ送信のために排他的に使用される。図１は、通常のＤＭＲＳ構成についての概略図を示すものである。図１に示されるように、通常のＣＰの場合に、通常のＤＭＲＳ構成において、ＤＭＲＳシンボルは、各タイムスロットの７つのシンボルのうちの中央のシンボル（すなわち、第４のシンボル）に位置している。さらに、拡張されたＣＰの場合における通常のＤＭＲＳ構成においては、ＤＭＲＳシンボルは、各タイムスロットの６つのシンボルのうちの第３のシンボル（図示されず）に位置している。以降では、図示は、一例として通常のＣＰの場合を用いて行われるであろう。しかしながら、当業者なら、本発明によって開示される問題解決手法は、全体として、拡張されたＣＰのために適用可能であることを理解するであろう。
【００１６】
さらに、本開示はまた、一例としてＦＤＤフレーム構造を取る。しかしながら、当業者なら、本発明によって開示される問題解決手法は、時分割二重化（ＴＤＤ）フレーム構造のために完全に適していることを理解するであろう。
【００１７】
ＵＥが、ＰＵＳＣＨの上でＬ１／Ｌ２シグナリングを送信するときに、ハイブリッド自動再送要求（ＨＡＲＱ：ｈｙｂｒｉｄ  ａｕｔｏｍａｔｉｃ  ｒｅｐｅａｔ  ｒｅｑｕｅｓｔ）肯定応答と、チャネル状態報告ともまた、ＰＵＳＣＨの上で送信される。図１はまた、ＨＡＲＱ肯定応答（ＡＣＫ／ＮＡＣＫ）やチャネル状態報告（ＣＱＩ／ＰＭＩ）など、ＰＵＳＣＨの中のＤＭＲＳシンボル以外の他のシグナリング構成を示すものである。ＨＡＲＱ肯定応答は、ダウンリンクの適切なオペレーションのために非常に重要であるので、ＨＡＲＱが、ＤＭＲＳシンボルにもっと近くなればなるほど、チャネル推定の品質はより良くなる。例えば、ＨＡＲＱ肯定応答は、図１に示されるように、ＤＭＲＳシンボルにすぐ隣接して送信されることもある。
【００１８】
上記で述べられるように、３ＧＰＰ  ＴＲ  ３６．９３２においては、低モビリティのＵＥだけが、屋内環境のために考慮されるにすぎないが、屋外環境では、中間モビリティのＵＥが、さらに考慮される。低モビリティのＵＥでは、コヒーレンス時間が比較的長いので、ＤＭＲＳが、各タイムスロットにおけるシンボルを占有することが、不必要になる（これは、アップリンク帯域幅の１４％または１８％を消費するであろう）。この特徴を利用するために、縮小されたＤＭＲＳ構成が、アップリンクＬＴＥ送信のために提案される。
【００１９】
図２は、本発明の実施形態による縮小されたＤＭＲＳ構成の図を示すものである。図２に示されるように、各サブフレームごとに、アップリンク送信のためのＤＭＲＳシンボルの数は、２から１へと低減される。すなわち、各タイムスロットではなくて、各サブフレームには、ＤＭＲＳシンボルが割り当てられる。このようにして、ＤＭＲＳシンボルのシグナリングオーバーヘッドは、２分の１に低減され、これは、アップリンク帯域幅の７％または９％を消費するにすぎないことになることが分かる可能性がある。
【００２０】
さらに、サブフレームの中央のより近くにＤＭＲＳシンボルの位置を設定することにより、ＤＭＲＳシンボルに基づいて実行されるチャネル推定は、ＤＭＲＳシンボルが、第１または第２のタイムスロットの中央に位置しており、あるいはサブフレームの中の他の位置に位置しているときに実行されるチャネル推定よりも正確であろう。好ましい一実施形態においては、ＤＭＲＳシンボルは、図２に示されるように、サブフレームの第１のタイムスロットの最後のシンボルに位置している。別の好ましい実施形態においては、ＤＭＲＳシンボルは、サブフレームの第２のタイムスロットの第１のシンボルに位置している。
【００２１】
さらに、上記で述べられるように、ＵＥが、ＰＵＳＣＨの上でＬ１／Ｌ２シグナリングを送信するときに、ＨＡＲＱ肯定応答は、図２に示されるように、依然として、ＤＭＲＳシンボルのより近くに配置されるべきである。
【００２２】
図３は、本発明の実施形態による、ＤＭＲＳ構成を適応的に選択するための方法３００についてのフロー・チャートを示すものである。中間モビリティまたは高モビリティのＵＥはまた、屋外のスモール・セルの中にある可能性もあるので、ＰＵＳＣＨは、通常のＤＭＲＳ構成、または縮小されたＤＭＲＳ構成を適応的に選択することにより構成されていることもある。ＵＥのモビリティは、短時間内に安定しているので、選択されたＤＭＲＳ構成は、高レイヤシグナリングを通して示されることもある。
【００２３】
図３に示されるように、方法３００のステップ３１０において、基地局は、ターゲットＵＥに関するチャネル変化を推定する。
【００２４】
次に、ステップ３２０において、基地局は、ステップ３１０において、推定されるチャネル変化に基づいてターゲットＵＥについて通常のＤＭＲＳ構成、または縮小されたＤＭＲＳ構成を選択する。ここで、通常のＤＭＲＳ構成においては、ＤＭＲＳシンボルは、各タイムスロットに（図１に示されるように）割り当てられるが、縮小されたＤＭＲＳ構成においては、ＤＭＲＳシンボルは、各サブフレームに（図２に示されるように）割り当てられる。
【００２５】
一実施形態においては、本方法３００は、ステップ３３０をさらに含むことができ、ここでは基地局は、後続のアップリンク送信のために使用されるようにするために、より高いレイヤのシグナリングを通してターゲットＵＥに対して選択されたＤＭＲＳ構成を示す。
【００２６】
一実装形態においては、縮小されたＤＭＲＳ構成においては、割り当てられたＤＭＲＳシンボルは、サブフレームの中央に位置している。
【００２７】
一実装形態においては、縮小されたＤＭＲＳ構成においては、割り当てられたＤＭＲＳシンボルは、サブフレームの第１のタイムスロットの最後のシンボルに位置している。
【００２８】
一実装形態においては、縮小されたＤＭＲＳ構成においては、割り当てられたＤＭＲＳシンボルは、サブフレームの第２のタイムスロットの第１のシンボルに位置している。
【００２９】
一実装形態においては、通常のＤＭＲＳ構成においては、サブフレームの第１のタイムスロットと、第２のタイムスロットとの間のチャネル変化が、推定される。
【００３０】
一実装形態においては、縮小されたＤＭＲＳ構成においては、２つの連続したサブフレームのうちの第１のサブフレームと、第２のサブフレームとの間のチャネル変化が、推定される。
【００３１】
一実装形態においては、チャネル変化は、チャネル行列推定、ドップラー推定、またはＵＥ速度推定のうちの１つを使用して推定される。
【００３２】
一実装形態においては、通常のＤＭＲＳ構成を現在使用している場合には、推定されたチャネル変化が、第１の所定のしきい値よりも低い場合、縮小されたＤＭＲＳ構成は、後続のアップリンク送信のために選択されるであろう。
【００３３】
一実装形態においては、縮小されたＤＭＲＳ構成を現在使用している場合には、推定されたチャネル変化が、第２の所定のしきい値よりも高い場合、通常のＤＭＲＳ構成は、後続のアップリンク送信のために選択されるであろう。
【００３４】
図４は、本発明の実施形態による、ＤＭＲＳ構成を適応的に選択するための方法４００についての詳細なフロー・チャートを示すものである。
【００３５】
図４に示されるように、方法４００は、ステップ４１０において開始され、ここで基地局は、初期ステージにおける通常のＤＭＲＳ構成を用いて、ターゲットＵＥのアップリンク送信のためのＰＵＳＣＨを構成する。
【００３６】
次に、ステップ４２０において、基地局は、通常のＤＭＲＳ構成の下でチャネル変化状態を推定する。一実施形態においては、基地局は、チャネル行列推定方法を使用して、
【００３７】
【数１】
2016521033.tif 000003
のように、サブフレームの２つのタイムスロットの間のチャネル変化を推定し、式中で、Ｅｓ＿Ｈは、推定されたチャネル変化であり、Ｈｓ１と、Ｈｓ２とは、サブフレームの第１のタイムスロットと、第２のタイムスロットとについてのチャネル行列であり、また｜｜・｜｜は、行列のノルムを示している。
【００３８】
次に、ステップ４３０において、基地局は、第１の所定のしきい値λ１と、推定されたチャネル変化ＥＨを比較する。ＥＨが、第１の所定のしきい値λ１よりも低いときに、基地局は、ステップ４４０において示されるように、後続のアップリンク送信において縮小されたＤＭＲＳ構成を使用するために、より高いレイヤのシグナリングを通してターゲットＵＥを示す。ＥＨが、第１の所定のしきい値λ１よりも低くないときに、本方法４００は、ステップ４２０へと戻り、ここで基地局は、サブフレームの中のチャネル変化の推定を継続する。
【００３９】
他の実施形態においては、基地局はまた、ドップラー推定またはＵＥ速度推定を使用して、チャネル変化状態を推定し、またそれを対応するしきい値と比較して、縮小されたＤＭＲＳ構成へと切り替えるべきかどうかを決定することもできる。
【００４０】
一実施形態においては、ステップ４４０において、基地局は、縮小されたＤＭＲＳ構成に従って、アップリンク送信のためのターゲットＵＥに合わせて、２つ以上の連続したサブフレームを定期的にスケジュールする。
【００４１】
次に、ステップ４５０において、基地局は、縮小されたＤＭＲＳ構成の下でチャネル変化状態を推定する。一実施形態においては、基地局は、チャネル行列推定方法を使用して、
【００４２】
【数２】
2016521033.tif 000004
のように、スケジュールされた２つの連続したサブフレームの間のチャネル変化を推定し、式中で、Ｅｓｆ＿Ｈは、推定されたチャネル変化であり、Ｈｓｆ１と、Ｈｓｆ２とは、２つの連続したサブフレームのうちの第１のサブフレームと、第２のサブフレームとについてのチャネル行列であり、また｜｜・｜｜は、行列のノルムを示している。
【００４３】
次に、ステップ４６０において、基地局は、第２の所定のしきい値λ２と、推定されたチャネル変化Ｅｓｆ＿Ｈを比較する。Ｅｓｆ＿Ｈが、第２の所定のしきい値λ２よりも高いときに、基地局は、より高いレイヤのシグナリングを通して後続のアップリンク送信において通常のＤＭＲＳ構成を使用すべきターゲットＵＥを示し、また次いで本方法４００は、ステップ４１０へと戻る。Ｅｓｆ＿Ｈが、第２の所定のしきい値λ２よりも高くないときに、本方法４００は、ステップ４５０へと戻り、ここで基地局は、２つの連続したサブフレームのチャネル変化の推定を継続する。
【００４４】
当業者なら、第１の所定のしきい値λ１と、第２の所定のしきい値λ２とが、異なるオペレーション状態および／またはＱｏＳ要件に従って選択され得ることを理解することができる。
【００４５】
図５は、本発明の実施形態による、ＤＭＲＳ構成を適応的に選択するための装置５００の概略図を示すものである。例えば、装置５００は、基地局において、または基地局によって実装されることもある。
【００４６】
示されるように、装置５００は、ターゲットＵＥに関するチャネル変化を推定するように構成されたチャネル変化推定ユニット５１０と、推定されたチャネル変化に基づいてターゲットＵＥのために通常のＤＭＲＳ、または縮小されたＤＭＲＳのうちの一方を選択するように構成されたＤＭＲＳ構成選択ユニット５２０とを備えている。ここで、通常のＤＭＲＳ構成においては、ＤＭＲＳシンボルは、各タイムスロットに（図１に示されるように）割り当てられるが、縮小されたＤＭＲＳ構成においては、ＤＭＲＳシンボルは、各サブフレームに（図２に示されるように）割り当てられる。
【００４７】
一実施形態においては、装置５００は、後続のアップリンク送信のために使用されるようにするために、より高いレイヤのシグナリングを通してターゲットＵＥに対する選択されたＤＭＲＳ構成を示すように構成されたＤＭＲＳ構成通知ユニット５３０をさらに備えることができる。
【００４８】
一実装形態においては、縮小されたＤＭＲＳ構成においては、割り当てられたＤＭＲＳシンボルは、サブフレームの中央に位置している。
【００４９】
一実装形態においては、縮小されたＤＭＲＳ構成においては、割り当てられたＤＭＲＳシンボルは、サブフレームの第１のタイムスロットの最後のシンボルに位置している。
【００５０】
一実装形態においては、縮小されたＤＭＲＳ構成においては、割り当てられたＤＭＲＳシンボルは、サブフレームの第２のタイムスロットの第１のシンボルに位置している。
【００５１】
一実装形態においては、チャネル変化推定ユニットは、通常のＤＭＲＳ構成において、サブフレームの第１のタイムスロットと、第２のタイムスロットとの間のチャネル変化を推定するように構成されている。
【００５２】
一実装形態においては、チャネル変化推定ユニットは、縮小されたＤＭＲＳ構成において、２つの連続したサブフレームのうちの第１のサブフレームと、第２のサブフレームとの間のチャネル変化を推定するように構成されている。
【００５３】
一実装形態においては、チャネル変化推定ユニットは、ドップラー推定またはＵＥ速度推定を使用してチャネル変化を推定するように構成されている。
【００５４】
一実装形態においては、ＤＭＲＳ構成選択ユニットは、推定されたチャネル変化が、通常のＤＭＲＳ構成を現在使用している場合に、第１の所定のしきい値よりも低い場合に、後続のアップリンク送信のために縮小されたＤＭＲＳ構成を選択するように構成されている。
【００５５】
一実装形態においては、ＤＭＲＳ構成選択ユニットは、推定されたチャネル変化が、縮小されたＤＭＲＳ構成を現在使用している場合に、第２の所定のしきい値よりも高い場合に、後続のアップリンク送信のために通常のＤＭＲＳ構成を選択するように構成されている。
【００５６】
本開示においては、「基地局」という用語を使用する文脈によれば、それは、基地局のカバレッジ、および／またはカバレッジにサービスする基地局もしくは基地局サブシステムのことを意味することができる。本開示においては、文脈によれば、用語「基地局」は、「セル」、「ノードＢ」、「ｅノードＢ」などと相互に交換可能なように使用されることもある。
【００５７】
本発明において提案されるようなアップリンク送信のための縮小されたＤＭＲＳ構成のおかげで、スモール・セルの場合に（または一般により低いＵＥのモビリティの場合に）ＤＭＲＳシグナリングオーバーヘッドは、５０％だけ低減されることもあり、それによってスペクトル効率と、システム・スループットとを高めており、これは、シミュレーションを通して検証される。
【００５８】
表１は、シミュレーションのための仮定的な条件を示しており、そこではネットワーク・トポロジは、図６に示されるようなものである。
【００５９】
【表１】
2016521033.tif 000005
【００６０】
図７および図８は、それぞれ０ｋｎ／ｈおよび１５ｋｍ／ｈの速度におけるＵＥのシミュレーション結果を示すものである。縮小されたＤＭＲＳ構成を用いて、ＵＥの低モビリティの場合に、スループットは、かなり増大するが、ブロック・エラー比（ＢＬＥＲ：ｂｌｏｃｋ  ｅｒｒｏｒ  ｒａｔｉｏ）は、あまり影響を受けないことが、分かる。
【００６１】
ここで、開示されるような方法は、添付の図面を参照して説明されている。しかしながら、図面に示され、また本説明において説明されるようなステップのシーケンスは、例証的なものにすぎず、また特許請求の範囲の範囲を逸脱することなく、これらの方法ステップおよび／またはアクションは、図面に示され、また本説明において説明されるような特定のシーケンスだけに限定されることなく、異なるシーケンスの形で実行される可能性があることを理解すべきである。
【００６２】
１つまたは複数の例示の設計においては、本出願の機能は、ハードウェア、ソフトウェア、ファームウェア、またはその任意の組合せを使用して実装されることもある。ソフトウェアを用いた実装の場合には、それらの機能は、１つまたは複数の命令またはコードとしてコンピュータ読取り可能媒体の上に記憶され、あるいはコンピュータ読取り可能媒体の上の１つまたは複数の命令またはコードとして送信されることもある。コンピュータ読取り可能媒体は、コンピュータ・ストレージ媒体と、通信媒体とを備えている。通信媒体は、ある場所から別の場所へのコンピュータ・プログラムの送信を容易にする任意の媒体を含んでいる。ストレージ媒体は、一般的なコンピュータまたは特定のコンピュータにアクセス可能などのような使用可能な媒体とすることもできる。コンピュータ読取り可能媒体は、例えば、それだけには限定されないが、ＲＡＭ、ＲＯＭ、ＥＥＰＲＯＭ、ＣＤＲＯＭもしくは他の光ディスク・ストレージ・デバイス、磁気ディスク・ストレージ・デバイス、または他の磁気ストレージ・デバイス、あるいは一般的なコンピュータまたは特定のコンピュータ、あるいは一般的なプロセッサまたは特定のプロセッサによってアクセス可能な命令またはデータ構造のやり方で、望ましいプログラム・コード手段を搬送し、または記憶する他のどのような媒体も含むことができる。さらに、どのような接続もまた、コンピュータ読取り可能媒体としてみなされる可能性もある。例えば、ソフトウェアが、同軸ケーブル、光ケーブル、ツイスト・ペア線、デジタル加入者回線（ＤＳＬ：ｄｉｇｉｔａｌ  ｓｕｂｓｃｒｉｂｅｒ  ｌｉｎｅ）、または赤外線、無線、マイクロ波などの無線技術を使用して、ウェブサイト、サーバ、または他のリモート・ソースから送信される場合、そのときには同軸ケーブル、光ケーブル、ツイスト・ペア線、デジタル加入者回線（ＤＳＬ）、または赤外線、無線、マイクロ波などの無線技術はまた、媒体の定義によって対象に含まれることもある。
【００６３】
本明細書において本開示に関連して説明される様々な実例となる論理的なブロックと、モジュールと、回路とは、汎用プロセッサ、デジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）または他のプログラマブル・ロジック・デバイス、ディスクリート・ゲートまたはトランジスタ・ロジック、ディスクリート・ハードウェア・コンポーネント、あるいは本明細書において説明される機能を実行するように設計されたそれらの任意の組合せを用いて実装され、または実行されることもある。汎用プロセッサは、マイクロプロセッサとすることができるが、代替案においては、プロセッサは、任意の通常のプロセッサ、コントローラ、マイクロコントローラ、または状態機械とすることができる。プロセッサはまた、コンピューティング・デバイスの組合せ、例えば、ＤＳＰとマイクロプロセッサとの組合せ、複数のマイクロプロセッサ、ＤＳＰコアと連携した１つまたは複数のマイクロプロセッサ、あるいは任意の他のそのような構成として実装されることもある。
【００６４】
当業者なら、さらに、本明細書において本開示と関連して説明される様々な例示の論理的なブロックと、モジュールと、回路と、アルゴリズム・ステップとは、電子的ハードウェア、コンピュータ・ソフトウェア、またはそれら両方の組合せとして実装され得ることを理解するであろう。ハードウェアとソフトウェアとのこの互換性を明確に示すために、様々な実例となるコンポーネントと、ブロックと、モジュールと、回路と、ステップとは、それらの機能の観点から、一般に上記で説明されている。そのような機能が、ハードウェアとして実装されるか、またはソフトウェアとして実装されるかは、特定のアプリケーションと、全体のシステムに課される設計制約条件とに依存する。当業者なら、おのおのの特定のアプリケーションについての様々なやり方で、説明された機能を実装することができるが、そのような実装の決定は、本開示の範囲からの逸脱を引き起こすように解釈されるべきではない。
【００６５】
本開示についての上記説明は、当業者の誰もが、本発明を実装し、または使用することを可能にするものである。当業者にとっては、本開示についての様々な修正形態は、明らかであり、また本明細書において規定される一般的な原理は、本発明の趣旨と保護範囲とを逸脱することなく、他の変換形態に適用される可能性もある。それゆえに、本発明は、本明細書において説明されるような例および設計だけには限定されないが、本開示の原理と、新規の特性との最も広い範囲と整合しているべきである。
【図１】
2016521033.tif 000006
【図２】
2016521033.tif 000007
【図３】
2016521033.tif 000008
【図４】
2016521033.tif 000009
【図５】
2016521033.tif 000010
【図６】
2016521033.tif 000011
【図７】
2016521033.tif 000012
【図８】
2016521033.tif 000013
【国際調査報告】
2016521033.tif 000014
2016521033.tif 000015